(57)【特許請求の範囲】
【請求項１】
設定されたパラメータに基づいて楽音信号のレベルを圧縮して当該楽音信号の音色に変化を与える処理回路と、
該処理回路に入力される楽音信号のレベルである入力レベルをリアルタイムに検出する入力レベル検出手段と、
前記処理回路から出力される楽音信号のレベルである出力レベルをリアルタイムに検出する出力レベル検出手段と、
入力レベルおよび出力レベルを座標軸とする座標平面上に、前記入力レベル検出手段、出力レベル検出手段が検出した入力レベル、出力レベルを示す点をリアルタイムに表示する表示手段と、
を備えた効果装置。
【請求項２】
設定されたパラメータに基づいて楽音信号のレベルを圧縮して当該楽音信号の音色に変化を与える処理回路と、
該処理回路に入力される楽音信号のレベルである入力レベルをリアルタイムに検出する入力レベル検出手段と、
前記処理回路のゲインをリアルタイムに検出するゲイン検出手段と、
入力レベルおよびゲインを座標軸とする座標平面上に、前記入力レベル検出手段、ゲイン検出手段が検出した入力レベル、ゲインを示す点をリアルタイムに表示する表示手段と、
を備えた効果装置。
【請求項３】
前記処理回路は、アタックタイム、リリースタイムを含むパラメータに基づいて入力された楽音信号のダイナミクスを変化させる回路である請求項１または請求項２に記載の効果装置。
【請求項４】
前記表示手段は、前記処理回路に設定されたパラメータに応じたゲイン圧縮の関数を示す設定ゲインを表すゲイン曲線を、前記座標平面上に表示する請求項１、請求項２または請求項３に記載の効果装置。
【発明の詳細な説明】
【０００１】
【産業上の利用分野】
この発明は、処理回路で処理される楽音信号の入力レベルや出力レベルなどの関係を明瞭に表示できる効果装置に関する。
【０００２】
【従来の技術】
コンプレッサやリミッタなどの入出力信号レベル間でダイナミクスを変化させる効果装置が実用化されている。コンプレッサ，リミッタは、ともに、入力信号レベルが一定値（スレッショルド）を超えると、超えた部分についてレベルを減衰させるものである。このような効果装置では適切な効果を得るために、上述のスレッショルドTHRESHOLD のほか、レシオRETIO ，アタックタイムATTACK TIME ，リリースタイムRELEASE TIMEなど種々のパラメータを利用者が調整可能になっている。
【０００３】
【発明が解決しようとする課題】
ところで、これらのパラメータを調整した場合、これよってどのような効果が得られているかを視覚的に確認したい場合がある。このため、従来の効果装置には、入力信号レベル，出力信号レベル，圧縮度などを表示する表示器も備えられているが、従来のこのようなインジケータは、たとえば、ＶＵメータやＬＥＤアレイのインジケータなどであり、１つの信号レベルを一次元的に表示するのみであった。このため、たとえば、入力信号レベルと出力信号レベルの関係を知ろうとする場合、１つのメータの表示内容を切り換えたり、２つのインジケータを見比べる必要があり、面倒なうえ、関係を正確に判断するのが困難であった。
【０００４】
この発明は、複数のレベルを関連付けて表示するようにしたことにより、これらのレベルの関係を分かりやすくした効果装置を提供することを目的とする。
【０００５】
【課題を解決するための手段】
この発明は、設定されたパラメータに基づいて楽音信号のレベルを圧縮して当該楽音信号の音色に変化を与える処理回路と、該処理回路に入力される楽音信号のレベルである入力レベルをリアルタイムに検出する入力レベル検出手段と、前記処理回路から出力される楽音信号のレベルである出力レベルをリアルタイムに検出する出力レベル検出手段と、入力レベルおよび出力レベルを座標軸とする座標平面上に、前記入力レベル検出手段、出力レベル検出手段が検出した入力レベル、出力レベルを示す点をリアルタイムに表示する表示手段と、を備えたことを特徴とする。
この発明は、設定されたパラメータに基づいて楽音信号のレベルを圧縮して当該楽音信号の音色に変化を与える処理回路と、該処理回路に入力される楽音信号のレベルである入力レベルをリアルタイムに検出する入力レベル検出手段と、前記処理回路のゲインをリアルタイムに検出するゲイン検出手段と、入力レベルおよびゲインを座標軸とする座標平面上に、前記入力レベル検出手段、ゲイン検出手段が検出した入力レベル、ゲインを示す点をリアルタイムに表示する表示手段と、を備えたことを特徴とする。
この発明は、上記発明において、前記処理回路は、アタックタイム、リリースタイムを含むパラメータに基づいて入力された楽音信号のダイナミクスを変化させる回路であることを特徴とする。
この発明は、上記発明において、前記表示手段は、前記処理回路に設定されたパラメータに応じたゲイン圧縮の関数を示す設定ゲイン曲線を、前記座標平面上に表示することを特徴とする。
【０００６】
≪作用≫
この発明の表示手段は２次元（平面）上に任意位置に点を表示することができるものであり、処理回路に入力される信号，処理回路から出力される信号のレベルをリアルタイムに（Ｘ，Ｙの）座標値とする点が表示される。さらに、入力信号，出力信号のゲインが同一座標上にグラフとして図示される。これにより、両者の関係を１つの点で表示することができ、視覚的に非常に分かりやくなる。また、相関が図示されることにより、一方の信号のレベル変化が他方の信号のレベル変化にどのように影響を与えるかを直観的に把握することができる。したがって、コンプレッサやリミッタなどの効果装置のゲイン圧縮の関数やアタックタイムやリリースタイムによるゲインの遅れを視覚的に把握することができる。
【０００７】
【発明の実施の形態】
図１はこの発明の実施形態である効果装置のブロック図である。この効果装置は、ＤＳＰ２を用いて入力される楽音信号のレベルを圧縮して音色に変化を与える。すなわち、この効果装置はコンプレッサやリミッタとして機能する。リミッタは、信号があるレベルに達すると急激にゲインを下げ、コンプレッサはゆるやかに広い範囲のレベルで動作するように設定されたものである。すなわち、ミリッタは、入力信号のレベルがスレッショルドを超えたとき瞬時にこれをスレッショルドレベルまでゲインを低下させる機能を持ち、コンプレッサは、ダイナミックレンジを減衰させることにより、徐々に超えたレベルをスレッショルドレベルにもどす機能を有している。
【０００８】
この効果装置にはアナログの楽音信号が入力されるが、このアナログ信号はＡ／Ｄ変換器４でディジタル信号に変換される。このディジタル信号がＤＳＰ２に入力される。一方、ＤＳＰ２で処理を施されたディジタル信号はＤ／Ａ変換器５に入力される。このディジタル信号はＤ／Ａ変換器５でアナログ信号に再度変換され、外部出力される。
【０００９】
ＤＳＰ２に対するパラメータ設定はＣＰＵ１が行う。ＣＰＵ１にはメモリ３，操作パネル６および表示器７が接続されている。操作パネル６はＤＳＰ２に与えるパラメータ、すなわち、ノーマルゲインＮＲＧ，スレッショルドＴＨ，レシオＲＴ，アタックタイムＡＴＴ，リリースタイムＲＬＴを設定する操作子を備えている。ノーマルゲインＮＲＧは入力信号がスレッショルドＴＨを超えない範囲のときに適用されるゲインである。レシオＲＴはスレッショルドＴＨを超えるレベルについてゲイン圧縮する割合を決定するパラメータであり、ｄＢ値として１（圧縮せず）〜∞（スレッショルドＴＨにクリップ）までの値をとることができる。アタックタイムＡＴＴは、入力信号レベルがスレッショルドＴＨを超えたのち圧縮を開始するまでのレスポンス（遅延時間）を決定するためのパラメータであり、数十μｓ〜１００ｍｓ程度の範囲に設定することができる。また、リリースタイムＲＬＴは、アタックタイムＡＴＴとは逆に入力信号レベルがスレッショルドＴＨを下回ったのち圧縮を解除して通常のゲインに戻るまでにかかる時間を決定するためのパラメータであり、数ｍｓ〜数ｓの範囲で設定することができる。これらのパラメータの設定内容は、ＣＰＵ１が取り込みメモリ３に記憶される。表示器７は、これらのパラメータの設定内容や入力信号レベル，出力信号レベルなどが表示される。図３，図４に表示例を示す。
【００１０】
図２は前記ＤＳＰ２でコンプレッサを構成した場合の等価的ブロック図である。Ａ／Ｄ変換器４から入力されるディジタル信号は、絶対値検出回路１０，乗算器１３および入力信号ピークバッファ１５に入力される。乗算器１３はこの入力信号にゲインとなる係数を乗算する回路である。絶対値検出回路１０は正負に振動するディジタル信号値の絶対値を検出する回路である。絶対値検出回路１０が検出した絶対値はゲインコントロール回路１１に入力される。このゲインコントロール回路１１にはＣＰＵ１０からノーマルゲインＮＲＧ，スレッショルドＴＨ，レシオＲＴが入力されている。ゲインコントロール回路１１は、絶対値検出回路１０から入力される絶対値を変数とし、このスレッショルドＴＨおよびレシオＲＴ，ノーマルゲインＮＲＧに基づいてゲインを割り出す。このゲインをアタックリリースコントロール回路１２に入力する。アタックリリースコントロール回路１２には、ＣＰＵ１０からアタックタイムＡＴＴ，リリースタイムＲＬＴが入力されている。アタックリリースコントロール回路１２は、これらのパラメータに基づいて、入力されたゲインを遅延させて乗算器１３およびゲインピークバッファ１７に出力する。乗算器１３ではＡ／Ｄ変換器４から入力された信号にアタックリリースコントロール回路１２から入力したゲインを乗算して出力する。この信号はＤ／Ａ変換器５に入力されるとともに、出力信号ピークバッファ１６に入力される。前記入力信号ピークバッファ１５は入力信号の１周期内のピーク値を記憶する。出力信号ピークバッファ１６は出力信号の１周期内のピーク値を記憶する。また、ゲインピークバッファ１７はゲイン値の１周期内のピーク値を記憶する。これらのバッファの値はＣＰＵ１０によって読み取られる。
【００１１】
図３，図４を参照して表示器７の表示方式およびＤＳＰ２で構成されるコンプレッサの動作について説明する。
図３は表示器７の基本的な表示内容を説明する図である。表示器７は、入力信号ＩＮの軸を横軸（Ｘ軸）とし出力信号ＯＵＴの軸を縦軸（Ｙ軸）とする座標平面をなしている。ノーマルゲインＮＲＧ，スレッショルドＴＨ，レシオＲＴが設定されると、表示器７には、これらによって設定される設定ゲイン曲線２０が表示される。設定ゲイン曲線はスレッショルドポイントまでのノーマルゲイン部２０ａとスレッショルドポイントを超える部分のゲインリダクション部２０ｂとからなる。ゲインリダクション部２０ｂはノーマルゲインＮＲＧにコンプレッサのレシオＲＴを乗じた角度になっている。さらに、ＤＳＰ２に信号が入力されると、その信号の入力信号のピークレベルが入力信号ピークバッファ１５から取り込まれ、出力信号のピークレベルが出力信号ピークバッファ１６から取り込まれる。表示器７には、これらをそれぞれＸ座標，Ｙ座標とする点が表示される。入力信号レベル，出力信号レベルは刻々変化するため、この点もその変化につれて座標平面上を移動する。入力信号のレベルがスレッショルドポイント以下の場合には、上記点は前記設定ゲイン曲線のノーマルゲイン部２０ａ上を上下することになる。
【００１２】
図４は、入力レベルがスレッショルドポイントを超えた場合の点の表示位置の推移、すなわち、入力信号のレベルと出力信号のレベル、すなわち、ゲインリダクションの状態を示す図である。入力レベルが上昇してゆくと、スレッショルドポイントまではこの入力レベルに比例して出力レベルも上昇してゆく（ａ→ｂ）、この区間では設定ゲイン曲線２０ａに沿って点が移動する。入力レベルがスレッショルドポイントを超えると、ゲインコントロール回路１１が出力するゲイン値は圧縮されるが、このゲイン値はアタックリリースコントロール回路１２によって遅延されたのち乗算器１３に入力されるため、出力レベルはゲインリダクション曲線２０ｂを超えて出力される（ｂ→ｃ）。そして、アタックタイムＡＴＴが経過すると圧縮されたゲインが信号に乗算されるため、ゲインリダクション部２０ａに沿った入力／出力特性となる（ｃ→ｄ）。次に、入力レベルが低下すると、ゲインがノーマルゲインに回復するが、リリースタイム分の遅延があるため（リリースタイムは一般的にアタックタイムよりも長く設定されている）、入力レベルがスレッショルドポイントを下回った状態で減少してゆき（ｄ→ｅ→ｆ）、リリースタイムＲＬＴが経過したのちノーマルゲインに復帰する（ｆ）。
【００１３】
このような、動作特性を示すが、表示器７における表示もこの動作をそのまま表現し、入力信号レベルと出力信号レベルの完成を視覚的に表した表示になる。
【００１４】
なお、この実施形態では、入力信号レベルと出力信号レベルを横軸・縦軸として表示器７に表示するようにしたが、これらの信号に限らず、どのような信号の関係を表示することも可能である。たとえば、ゲインピークバッファ１７に記憶されたゲインと入力信号レベルとの関係を表示するようにしてもよい。
【００１５】
【発明の効果】
以上のようにこの発明によれば、入力信号と出力信号のリアルタイムレベルを座標値とする点をリアルタイムに表示し、これらの信号間のゲインを同一の座標上に図示するようにしたことにより、両信号のリアルタイム変化およびその相関が非常に分かりやすくなる利点がある。
【図面の簡単な説明】
【図１】この発明の実施形態である効果装置のブロック図
【図２】同効果装置のＤＳＰの動作を等価的に表したブロック図
【図３】同効果装置の表示器の表示方式を説明する図
【図４】同効果装置の表示器の表示方式を説明する図
【符号の説明】
１…ＣＰＵ、７…表示器
【図１】
0003917474.tif 000002
【図２】
0003917474.tif 000003
【図３】
0003917474.tif 000004
【図４】
0003917474.tif 000005